(57)【要約】【課題】遮光手段の有無に関わらず庇としての外観意匠性に優れ、かつ遮光手段の有無が容易に選択できる庇構造を提供すること。【解決手段】上枠１１１の室外面に固定される支持金具２０と、これに固定されて下方に開口した庇本体３０と、その開口を部分閉塞可能な第１カバー５０と、その開口の全体閉塞可能な第２カバーと、ロールスクリーン４０とから、支持金具２０と庇本体３０と第１カバー５０とロールスクリーン４０とを選択し、庇本体３０と第１カバー５０とで形成される収納空間７０にロールスクリーン４０を支持させて構成される第１形態と、支持金具２０と庇本体３０と第２カバーとを選択し、庇本体３０の開口を第２カバーで閉塞させて構成される第２形態とのいずれかで構成する。従って、ロールスクリーン４０の有無を容易に選択でき、その有無に係らず、庇１０としての優れた外観を維持できる。【選択図】図１
2007332647.tif 000002
【特許請求の範囲】
【請求項１】
外壁開口部の上部に固定される支持具と、この支持具に取り付けられて下方に開口した庇本体と、前記庇本体の開口を部分的に閉塞可能な第１カバーと、前記庇本体の開口の全体を閉塞可能な第２カバーと、前記外壁開口部の室外側を覆う遮光手段とから、
前記支持具と、前記庇本体と、前記第１カバーと、前記遮光手段とを選択し、前記庇本体と前記第１カバーとで形成される空間内部に前記遮光手段の上端部を支持させて構成される第１形態と、前記支持具と、前記庇本体と、前記第２カバーとを選択し、前記庇本体の開口を前記第２カバーで塞いで全体中空状に構成される第２形態とのいずれかで構成された庇構造。
【請求項２】
前記遮光手段は、前記庇本体の開口部から下方に伸びて外壁開口部の室外側を覆う遮光位置と、前記庇本体と前記第１カバーとで形成される空間内部に収納される非遮光位置と、の間を上下移動自在に構成されている請求項１に記載の庇構造。
【請求項３】
前記支持具は、前記庇本体を固定する少なくとも１つの本体固定部と、前記第１カバーまたは第２カバーの室内側端部を固定するカバー固定部と、前記第１カバーに係合する第１係合片部とを有して形成され、
前記庇本体は、前記開口を形成する上面部、室内側面部および室外側面部と、この室外側面部の下端部に設けられた第２係合片部とを有して形成されるとともに、少なくとも前記上面部の室内側端部が前記本体固定部に固定され、
前記第１カバーは、室内側端部が前記カバー固定部に下方からの固定具で固定されるとともに、前記第１係合片部に下方から着脱可能に係合されて取り付けられ、
前記第２カバーは、室内側端部が前記カバー固定部に下方からの固定具で固定されるとともに、室外側端部が前記第２係合片部に下方から着脱可能に係合されて取り付けられる請求項１または請求項２に記載の庇構造。
【請求項４】
前記庇本体の上面部の下面には、前記遮光手段を着脱する遮光手段着脱部が形成され、
前記遮光手段は、前記外壁開口部の室外側を覆う遮光手段本体部と、この遮光手段本体部を支持するケース部とを備え、このケース部が前記遮光手段着脱部に着脱可能に取り付けられる請求項３に記載の庇構造。
【請求項５】
外壁開口部の上部に固定される支持具と、この支持具に取り付けられる庇本体とを備え、
前記支持具は、前記庇本体を固定する少なくとも２つの第１本体固定部と、第２本体固定部とを有して形成され、
前記庇本体は、少なくとも上面部および室内側面部を有して形成されるとともに、前記上面部の室内側端部が前記第１本体固定部に上方から第１固定具で固定され、前記室内側面部の下部が前記第２本体固定部に下方から第２固定具で固定されている庇構造。
【請求項６】
前記庇本体は、下方に開口して形成され、
前記支持具には、前記庇本体の開口全体または開口を部分的に閉塞可能、かつ、第２固定部を下方から覆うカバーが取り付けられる請求項５に記載の庇構造。
【請求項７】
外壁開口部に固定され、上枠、下枠および左右の縦枠からなる枠体と、この枠体に支持された面材とを備えた建具であって、
請求項１から請求項６のいずれかに記載の庇構造が前記上枠の室外側に設けられた建具。
【請求項８】
前記支持具は、前記上枠の室外側側面に当接した状態でこの上枠とともに固着具で前記外壁に固定される固定片部と、この固定片部よりも下方に設けられて前記上枠に室外側から当接する当接片部とを有して形成されている請求項７に記載の建具。
【発明の詳細な説明】
【技術分野】
【０００１】
本発明は、外壁開口部の上部室外面に固定される庇構造、および庇を備えた建具に関する。
【背景技術】
【０００２】
従来、支持具と庇板とを備え、外壁開口部の窓枠に取り付けられた庇が知られている（例えば、特許文献１参照）。この庇の支持具は、窓枠の上辺に取り付けられるとともに、支持具には、係合溝が形成されており、庇板に形成された係止片を支持具の係合溝に係合させることによって、庇板が支持具に固定されるようになっている。
【０００３】
【特許文献１】実公平５−６３４１号公報
【発明の開示】
【発明が解決しようとする課題】
【０００４】
しかしながら、特許文献１に記載の庇では、窓枠の室外側に遮光手段としてのロールスクリーン等を取り付けようとした場合には、ロールスクリーン等を庇板に固定したり、窓枠に取り付けたりしなければならず、このような固定部や取付け部が外から見えてしまって、庇としての見栄えが悪くなってしまうという問題がある。また、ロールスクリーン等を取り付ける際に庇板や窓枠の加工が必要になるため、作業に手間が掛かってしまうという問題もある。さらに、これらの問題があることから、窓や外壁、庇の施工途中や施工完了後の任意の時期にロールスクリーン等の有無を変更しにくいという不都合も生じてしまう。
【０００５】
本発明の目的は、遮光手段の有無に関わらず庇としての外観意匠性に優れ、かつ遮光手段の有無が容易に選択できる庇構造および建具を提供することにある。
【課題を解決するための手段】
【０００６】
本発明の庇構造は、外壁開口部の上部に固定される支持具と、この支持具に取り付けられて下方に開口した庇本体と、前記庇本体の開口を部分的に閉塞可能な第１カバーと、前記庇本体の開口の全体を閉塞可能な第２カバーと、前記外壁開口部の室外側を覆う遮光手段とから、前記支持具と、前記庇本体と、前記第１カバーと、前記遮光手段とを選択し、前記庇本体と前記第１カバーとで形成される空間内部に前記遮光手段の上端部を支持させて構成される第１形態と、前記支持具と、前記庇本体と、前記第２カバーとを選択し、前記庇本体の開口を前記第２カバーで塞いで全体中空状に構成される第２形態とのいずれかで構成されたことを特徴とする。
ここで、遮光手段としては、水平にかつ回転可能に支持された巻取軸を備え、この巻取軸に巻取操作することによって上下方向に開閉可能なロールスクリーンであってもよく、また、すだれ状に並列した複数の羽根を上げ下げおよび角度操作することによって採光量を調整可能なブラインドであってもよい。
【０００７】
このような構成によれば、庇本体の下方に、遮光手段および第１カバー、または、第２カバーを選択的に設けるだけで、支持具および庇本体を共通して使用することができるので、遮光手段の有無を容易に選択することができる。
さらに、遮光手段を設ける場合（第１形態）には、その上端部が庇本体と第１カバーとで形成される空間内部に支持され、庇本体と第１カバーとの隙間から遮光手段が垂下されるので、遮光手段の取り付け部分が外部に露出することがなく、庇としての外観を優れたものにすることができる。一方、遮光手段を設けない場合（第２形態）には、庇本体の開口全体が第２カバーによって覆われるので、遮光手段の有無に係らず、庇としての優れた外観が維持される。
また、設計時や施工完了時において遮光手段を設けずに、後から遮光手段を設けるような設計変更あるいはリフォームの場合（第２形態から第１形態へ変更する場合）にも、当初の第２カバーを第１カバーに変更して遮光手段を取り付けるだけで容易に対応できる。一方、当初設けていた遮光手段を取り外す場合（第１形態から第２形態へ変更する場合）にも、第１カバーを第２カバーに変更するだけで容易に対応可能である。
【０００８】
この際、本発明の庇構造では、前記遮光手段は、前記庇本体の開口部から下方に伸びて外壁開口部の室外側を覆う遮光位置と、前記庇本体と前記第１カバーとで形成される空間内部に収納される非遮光位置と、の間を上下移動自在に構成されていることが好ましい。
このような構成によれば、遮光手段を使用しないときには、遮光手段を庇本体の空間内部に収納できるので、遮光手段が外部に露出することがなく、庇の外観の意匠性を良好に維持しつつ、十分な採光を確保できる。
【０００９】
また、本発明の庇構造では、前記支持具は、前記庇本体を固定する少なくとも１つの本体固定部と、前記第１カバーまたは第２カバーの室内側端部を固定するカバー固定部と、前記第１カバーに係合する第１係合片部とを有して形成され、前記庇本体は、前記開口を形成する上面部、室内側面部および室外側面部と、この室外側面部の下端部に設けられた第２係合片部とを有して形成されるとともに、少なくとも前記上面部の室内側端部が前記本体固定部に固定され、前記第１カバーは、室内側端部が前記カバー固定部に下方からの固定具で固定されるとともに、前記第１係合片部に下方から着脱可能に係合されて取り付けられ、前記第２カバーは、室内側端部が前記カバー固定部に下方からの固定具で固定されるとともに、室外側端部が前記第２係合片部に下方から着脱可能に係合されて取り付けられることが好ましい。
このような構成によれば、支持具に対して庇本体を確実に固定することができるとともに、第１カバーを選択した場合には、この第１カバーを支持具のカバー固定部および第１係合片部によって確実に支持することができ、第２カバーを選択した場合には、この第２カバーを支持具のカバー固定部と庇本体の第２係合片部とによって確実に支持することができる。
【００１０】
さらに、本発明の庇構造では、前記庇本体の上面部の下面には、前記遮光手段を着脱する遮光手段着脱部が形成され、前記遮光手段は、前記外壁開口部の室外側を覆う遮光手段本体部と、この遮光手段本体部を支持するケース部とを備え、このケース部が前記遮光手段着脱部に着脱可能に取り付けられることが好ましい。
このような構成によれば、遮光手段が庇本体に固定されているので、遮光手段の着脱が容易になり、作業性を向上させることができる。
【００１１】
本発明の庇構造は、外壁開口部の上部に固定される支持具と、この支持具に取り付けらる庇本体とを備え、前記支持具は、前記庇本体を固定する少なくとも２つの第１本体固定部と、第２本体固定部とを有して形成され、前記庇本体は、少なくとも上面部および室内側面部を有して形成されるとともに、前記上面部の室内側端部が前記第１本体固定部に上方から第１固定具で固定され、前記室内側面部の下部が前記第２本体固定部に下方から第２固定具で固定されていることを特徴とする。
【００１２】
このような構成によれば、庇本体が、支持具に対して第１および第２本体固定部の少なくとも２箇所で固定されるので、例えば、庇本体内に遮光手段を収納した比較的重量の大きい庇本体であっても、確実に支持具に取り付けることができ、庇構造を強固にできる。また、風の吹き上げによる上方への力に対して十分に耐えられる。
【００１３】
ここで、庇本体は、例えば、下方に開口する収納空間を有するものであってもよく、この収納空間に遮光手段を収納させてもよい。または、庇本体は、全体中空状に構成されたものであってもよい。つまり、支持具を共通部品として、この支持具に、遮光手段を備えた庇本体または遮光手段を備えていない庇本体のいずれをも取り付けることができる。従って、庇本体を交換することによって遮光手段の有無を容易に選択することができる。
【００１４】
この際、本発明の庇構造では、前記庇本体は、下方に開口して形成され、前記支持具には、前記庇本体の開口全体または開口を部分的に閉塞可能、かつ、第２固定部を下方から覆うカバーが取り付けられることが好ましい。
このような構成によれば、第２固定部がカバーによって覆われるので、雨水による錆の発生や異物の付着等を防止することができる。
また、庇本体に遮光手段を着脱可能とする遮光手段着脱手段を形成して、庇本体の開口を部分的に閉塞するカバーを庇本体に取り付ける場合には、例えば、庇本体とカバーとで形成される空間内に遮光手段を収納させてもよい。一方、庇本体の開口全体を閉塞するカバーを取り付ける場合には、庇本体とカバーとによって全体中空状に構成してもよい。つまり、支持具に、遮光手段を備えた庇本体または遮光手段を備えていない庇本体のいずれをも取り付けることができる。従って、遮光手段を着脱させてカバーを交換することによって、遮光手段の有無を容易に選択することができる。
【００１５】
一方、本発明の建具は、外壁開口部に固定され、上枠、下枠および左右の縦枠からなる枠体と、この枠体に支持された面材とを備えた建具であって、前記したいずれかの庇構造が前記上枠の室外側に設けられたことを特徴とする。
このような構成によれば、上枠に支持具を固定し、この支持具を介して庇本体や遮光手段を取り付けるだけで、遮光手段内蔵型の庇を建物の開口部に取り付けることができる。従って、新設時に限らず、既存の窓等に遮光手段内蔵型の庇を後付けする際のリフォーム用として利用することができる。そして、建具において、遮光手段を備えているか備えていないかに関わらず、庇としての外観意匠性に優れ、かつ、遮光手段の有無を容易に選択することができる。
【００１６】
この際、本発明の建具では、前記支持具は、前記上枠の室外側側面に当接した状態でこの上枠とともに固着具で前記外壁に固定される固定片部と、この固定片部よりも下方に設けられて前記上枠に室外側から当接する当接片部とを有して形成されていることが好ましい。
このような構成によれば、支持具の固定片部を固定するビス等の固着具で上枠も外壁に固定する、つまり固着具を兼用することができるので、使用する固着具の数が削減でき、現場施工時の作業負荷を軽減させることができる。さらに、固定片部よりも下方に設けた当接片部を上枠に室外側から当接させることで、当接片部をビス止め等しなくても支持具の下方への回転を規制することができ、この支持具を介して庇本体やカバー、遮光手段等の荷重を外壁および上枠で確実に支持することができる。
【発明を実施するための最良の形態】
【００１７】
以下、本発明の一実施形態に係る建具としての引違い窓１について、図１〜図３に基づいて説明する。図１は、ロールスクリーン４０内蔵型の庇１０を備えた引違い窓１の上部を拡大して示す縦断面図である。図２は、図１に示す庇１０を分解して示す引違い窓１の縦断面図である。図３は、ロールスクリーン４０を内蔵しない庇１０Ａを備えた引違い窓１の上部を拡大して示す縦断面図である。
【００１８】
図１に示すように、引違い窓１は、枠体としての窓枠１１と、面材としての室内外一組の障子１２と、窓枠１１の室外側面に固定される庇構造としての庇１０とを備えている。
窓枠１１は、上枠１１１、図示しない下枠、および左右の縦枠１１２を四周枠組みして形成され、建物の外壁開口部１００に取り付けられている。上枠１１１は、ビス１１３によって外壁開口部１００の上部室外面に室外側から固定されている。
障子１２は、窓枠１１の内側にスライド開閉可能に支持されている。
【００１９】
庇１０は、後述するようにロールスクリーン４０を内蔵可能に構成されており、必要に応じてロールスクリーン４０を取り外すことが可能に構成されており、ロールスクリーン４０を内蔵した第１形態と、ロールスクリーン４０を内蔵しない第２形態とに分けて詳しく説明する。
【００２０】
＜ロールスクリーンを内蔵させる場合（第１形態）の庇＞
図１および図２に示すように、庇１０は、支持具としてのアルミ形材製の支持金具２０と、この支持金具２０に固定されたアルミ形材製の庇本体３０と、遮光手段としてのロールスクリーン４０と、庇本体３０の下方に設けられた第１カバー５０とを備えて構成されている。
支持金具２０は、上枠１１１の室外面に対して固着具としてのビス１１３によって室外側から固定されている。支持金具２０の上部には、庇本体３０を固定する第１本体固定部としての第１固定部２１が形成されている。支持金具２０の下部には、庇本体３０を固定する第２本体固定部としての第２固定部２２が形成されている。支持金具２０の中央部には、第１カバー５０を着脱可能に固定するカバー固定部としての第３固定部２３が形成されている。支持金具２０の室外側端部には、第１カバー５０と着脱可能に係合する第１係合片部２４が形成されている。支持金具２０の中央部には、第１カバー５０と着脱可能に係合する第４係合片部２７が形成されている。
また、支持金具２０は、上枠１１１の室外側側面に当接した状態でこの上枠１１１とともにビス１１３で外壁に固定される固定片部２５と、この固定片部２５よりも下方に設けられて上枠１１１に室外側から当接する当接片部２６とを有して形成されている。
【００２１】
庇本体３０は、水勾配を有する上面部３１と、室内側面部３２と、室外側面部３３とを有し、下方に開口している。また、庇本体３０と後述する第１カバー５０とによって、ロールスクリーン４０を収納する収納空間７０が形成されている。
上面部３１の室内側端部は、第１固定具８１によって第１固定部２１に上方から固定され、室内側面部３２の下端部は、第２固定具８２によって第２固定部２２に下方から固定されている。このようにして、庇本体３０は、支持金具２０に固定されている。
上面部３１の室内側端部には、この上面部３１端部と、第１固定部２１と、上枠１１１の室外側面から室外側に突出する突出片部１１１Ａとから上方に開口する縦断面凹状の凹部９０が形成されている。凹部９０には、第１固定具８１を埋めるようにバックアップ材９１が嵌め込まれ、その上からシール材９２が設けられている。これらのバックアップ材９１とシール材９２とによって、支持金具２０と庇本体３０との隙間の水密性が確保されている。
また、庇本体３０における上面部３１の下面、つまり、庇本体３０の開口側の面には、ロールスクリーン４０を着脱可能に支持する遮光手段着脱部３４が形成されている。
遮光手段着脱部３４は、ロールスクリーン４０を着脱可能に固定する第４固定部３４１と、ロールスクリーン４０と着脱可能に係合する第３係合片部３４２とを有している。
【００２２】
第１カバー５０は、第１下面部５１および第１下面部５１の室内側端部から上方に延設される立上り部５２を有し、第１下面部５１の見込み方向略中央部が、第１係合片部２４に下方から着脱可能に係合されるとともに、立上り部５２の上端部が、第３固定具８３によって第３固定部２３に下方から着脱可能に固定され、立上り部５２の略中央部が、第４係合片部に下方から着脱可能に係合されている。これらの第１係合片部２４および第４係合片部２７と支持金具２０との係合によって、第３固定具８３による第１カバー５０の固定をより強固にするとともに、第３固定具８３にて固定する際に、第１カバー５０を支持金具２０に仮止めすることによって、固定作業の容易化を図れるように構成されている。
このようにして、第１カバー５０は、支持金具２０に固定され、庇本体３０とともにロールスクリーン４０を収納する収納空間７０を形成している。
なお、第１カバー５０は、収納空間７０を部分的に閉塞しており、第１カバー５０の室外側端部と、庇本体３０における室外側面部３３の下端部との間には、ロールスクリーン４０が開閉移動されるのに必要な隙間（開口）が形成されている。
【００２３】
ロールスクリーン４０は、外壁開口部１００の室外側を覆う遮光手段本体部４１と、この遮光手段本体部４１を支持するケース部４２とを備え、このケース部４２が遮光手段着脱部３４に着脱可能に取り付けられている。すなわち、ケース部４２の上端部が、第４固定具８４によって第４固定部３４１に下方から着脱可能に固定されるとともに、第３係合片部３４２に下方から着脱可能に係合されている。このようにして、ロールスクリーン４０の上端部は、収納空間７０内部に支持されている。
また、ロールスクリーン４０は、庇本体３０の開口部から下方に伸びて外壁開口部１００の室外側を覆う遮光位置と、庇本体３０と第１カバー５０とで形成される収納空間７０内部に収納される非遮光位置との間を上下移動自在に構成されている。つまり、遮光手段本体部４１はシート状に形成されており、閉時には上方に巻き取られた状態となり、開時には下方に引き出された状態となっている。このように遮光手段本体部４１が下方に引き出されることによって、外壁開口部１００の室外側を覆うとともに、遮光することができる。
【００２４】
＜ロールスクリーンを内蔵させない場合（第２形態）の庇＞
図３に示すように、庇１０Ａは、ロールスクリーン４０を内蔵させる場合と同じ支持金具２０と、庇本体３０とを備え、第１カバー５０に替えて第２カバー６０が支持金具２０および庇本体３０に取り付けられている。
支持金具２０の第３固定部２３は、第１カバー５０と同様に、第２カバー６０を着脱可能に固定するためにも用いられている。同様に、支持金具２０の第１係合片部２４および第４係合片部２７は、第２カバー６０と着脱可能に係合するためにも用いられている。
庇本体３０の室外側面部３３の下端部には、第２カバー６０と着脱可能に係合する第２係合片部３３１が形成されている。
【００２５】
第２カバー６０は、第１カバー５０よりも見込み方向の寸法が長く設定された第２下面部６１と、立上り部６２とを有し、この第２下面部６１の見込み方向略中央部は、第１係合片部２４に下方から着脱可能に係合され、立上り部６２の略中央部は、第４係合片部２７に下方から着脱可能に係合されている。また、立上り部６２の上端部は、第３固定具８３によって第３固定部２３に下方から着脱可能に固定されている。なお、室外側端部は、第２係合片部３３１に下方から着脱可能に係合されている。
このようにして、第２カバー６０は、室内側端部を支持金具２０に固定されて、室外側端部を庇本体３０に係合されることによって、支持されるとともに、庇本体３０の開口全体を塞いで取り付けられ、これにより第２形態の庇１０Ａは、全体中空状に形成されている。
【００２６】
＜庇の取り付け方法＞
まず、ロールスクリーン４０を内蔵させる場合には、支持金具２０と、庇本体３０と、ロールスクリーン４０と、第１カバー５０とを選択し、支持金具２０を上枠１１１に固定し、庇本体３０を支持金具２０に固定し、ロールスクリーン４０のケース部４２を庇本体３０の上面部の下面に固定し、第１カバー５０を支持金具２０に固定する。このようにして、ロールスクリーン４０を内蔵する第１形態の庇１０を窓枠１１に取り付けることができる。
一方、ロールスクリーン４０を内蔵させない場合には、支持金具２０と、庇本体３０と、第２カバー６０とを選択し、ロールスクリーン４０を内蔵させる場合と同様に、支持金具２０および庇本体３０を取り付ける。ここで、第２カバー６０を支持金具２０に固定するとともに庇本体３０に係合させる。このようにして、ロールスクリーン４０を内蔵しない第２形態の庇１０Ａを窓枠１１に取り付けることができる。
また、第１形態の庇１０を第２形態の庇１０Ａに変更する場合には、第１カバー５０を取り外し、ロールスクリーン４０を取り外した後、第２カバー６０を取り付けることで、容易にロールスクリーン４０の有無が選択できるようになっている。
【００２７】
このような本実施形態によれば、以下のような効果がある。
（１）すなわち、庇本体３０の下方に、ロールスクリーン４０および第１カバー５０、または、第２カバー６０を選択的に設けるだけで、支持金具２０および庇本体３０を共通して使用することができるので、ロールスクリーン４０の有無を容易に選択することができる。
【００２８】
（２）さらに、ロールスクリーン４０を設ける場合（第１形態）には、その上端部が庇本体３０と第１カバー５０とで形成される収納空間７０内部に支持され、庇本体３０と第１カバー５０との隙間からロールスクリーン４０が垂下されるので、ロールスクリーン４０の取り付け部分が外部に露出することがなく、庇１０としての外観を優れたものにすることができる。一方、ロールスクリーン４０を設けない場合（第２形態）には、庇本体３０の開口全体が第２カバー６０によって覆われるので、ロールスクリーン４０の有無に係らず、庇１０，１０Ａとしての優れた外観が維持される。
【００２９】
（３）また、設計時や施工完了時においてロールスクリーン４０を設けずに、後からロールスクリーン４０を設けるような設計変更あるいはリフォームの場合（第２形態から第１形態へ変更する場合）にも、当初の第２カバー６０を第１カバー５０に変更してロールスクリーン４０を取り付けるだけで容易に対応できる。一方、当初設けていたロールスクリーン４０を取り外す場合（第１形態から第２形態へ変更する場合）にも、第１カバー５０を第２カバー６０に変更するだけで容易に対応可能である。
【００３０】
なお、本発明は前述の実施形態に限定されるものではなく、本発明の目的を達成できる範囲での変形、改良等は本発明に含まれるものである。
例えば、前記実施形態では、建具としての引違い窓１について説明したが、本発明では、建具としては窓や戸であればよい。また、庇１０における支持具としての支持金具２０は、枠体に取り付けられたものだけではなく、外壁開口部の上部の外壁に直接固定されていてもよい。つまり、外壁開口部に枠体があってもなくても、本発明の庇構造を使用することができる。
また、前記実施形態では、第１カバー５０と第２カバー６０とのいずれかを備えた庇１０，１０Ａについて説明したが、本発明の庇構造は、前記第１形態における支持金具２０と、庇本体３０と、ロールスクリーン４０と、第１カバー５０とを備えたものでもよく、または、前記第２形態における支持金具２０と、庇本体３０と、第２カバー６０とを備えたものでもよい。この際、庇本体３０および第１カバー５０の替わりに、庇本体３０および第１カバー５０を一体形成した庇本体を備え、この庇本体の内部にロールスクリーン４０を収納可能に構成されたものとしてもよい。あるいは、庇本体３０および第２カバー６０の替わりに、庇本体３０および第２カバー６０を一体形成した庇本体を備え、この庇本体を全体中空状に構成したものとしてもよい。
【００３１】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００３２】
【図１】本発明の第１実施形態に係る遮光手段を有する庇構造を備えた建具の上部を拡大して示す縦断面図である。
【図２】前記庇構造を分解して示す前記建具の縦断面図である。
【図３】前記遮光手段を有しない庇構造を備えた前記建具の上部を拡大して示す縦断面図である。
【符号の説明】
【００３３】
１…引違い窓（建具）、１０，１０Ａ…庇（庇構造）、１１…窓枠（枠体）、１２…障子（面材）、２０…支持金具（支持具）、２１…第１固定部（第１本体固定部）、２２…第２固定部（第２本体固定部）、２３…第３固定部（カバー固定部）、２４…第１係合片部、２５…固定片部、２６…当接片部、３０…庇本体、３１…上面部、３２…室内側面部、３３…室外側面部、３４…遮光手段着脱部、４０…ロールスクリーン（遮光手段）、４１…遮光手段本体部、４２…ケース部、５０…第１カバー、６０…第２カバー、７０…収納空間（空間）、８１…第１固定具、８２…第２固定具、８３…第３固定具（固定具）、１００…外壁開口部、１１１…上枠、１１２…縦枠、１１３…ビス（固着具）、３３１…第２係合片部、３４１…固定部、３４２…係合片部。
【図１】
2007332647.tif 000003
【図２】
2007332647.tif 000004
【図３】
2007332647.tif 000005